(57)【要約】  第１の物品が固定されるよう構成される取付け部と、繋留部と、を有する継手アームを備える継手が開示される。継手はさらに、第２の物品が固定されるよう構成されるソケットを備え、前記ソケットは継手アームの少なくとも繋留部を保持するよう構成される内部空洞を定める一つ以上の壁を備える。ソケットは継手アームが中を通って延びるよう構成される開口をさらに含んでおり、この場合、継手アームの取付け部は開口に対して可動である。
2009501852.tif 000002
【特許請求の範囲】
【請求項１】
第１の物品が固定されるよう構成される取付け部と、繋留部と、を有する継手アームと、
前記継手アームの少なくとも前記繋留部を保持するように構成された内部空洞を定める一以上の壁を備え、前記継手アームが中を通って延びるように構成された開口を有する、第２の物品が固定されるよう構成されるソケットと、を備える継手において、
前記継手アームの前記取付け部が前記開口に対して可動である継手。
【請求項２】
前記継手アームが二つ以上の継手セグメントを備え、前記継手セグメントが互いにヒンジ取付けされる請求項１に記載の継手。
【請求項３】
前記継手セグメントが、一つ以上のリンチピンにより取付けられる請求項２に記載の継手。
【請求項４】
前記取付け部が、フェイスプレートを備える請求項１〜３のいずれか１項に記載の継手。
【請求項５】
前記継手アームの前記取付け部が、前記開口に対し前記ソケットから離れる方向に可動である請求項１〜４のいずれか１項に記載の継手。
【請求項６】
前記継手アームが、前記継手アームの大部分が前記ソケット内に保持される閉位置と、前記継手アームの大部分が前記ソケットの前記開口を越えて延びる開位置と、の間で可動である請求項１〜５のいずれか１項に記載の継手。
【請求項７】
前記継手アームが閉位置にあるときに、前記継手セグメントが伸ばされた構造として配置される請求項６に記載の継手。
【請求項８】
前記継手アームが閉位置にあるときに、前記継手セグメントが積み重ねられた構造として配置される請求項６に記載の継手。
【請求項９】
前記継手アームが閉位置にあるときに、前記継手セグメントが折り畳まれた構造として配置される請求項６に記載の継手。
【請求項１０】
前記繋留部が、前記ソケット内に固定されるよう構成される請求項１〜９のいずれか１項に記載の継手。
【請求項１１】
前記繋留部が、前記ソケット内に動けるように保持されるよう構成される請求項１〜９のいずれか１項に記載の継手。
【請求項１２】
前記継手セグメントが、略平坦な面を含む請求項１〜１１のいずれか１項に記載の継手。
【請求項１３】
前記継手ソケットが、前記第２の物品にほぼ組み込まれるように構成される請求項１〜１２のいずれか１項に記載の継手。
【請求項１４】
前記第１の物品が、前記継手アームにヒンジ取付けされる請求項１〜１３のいずれか１項に記載の継手。
【請求項１５】
前記継手セグメントが、略平坦な面を含む請求項１〜１４のいずれか１項に記載の継手。
【発明の詳細な説明】
【技術分野】
【０００１】
本開示は、壁、ドア、コンテナ、又は、他の建物もしくは建築要素用の継手に関する。
【背景技術】
【０００２】
壁、ドア、コンテナ蓋及び他の建築又は建物材をヒンジ接続する伝統的な方法は、継手ピボット点を形成するために、位置合わせされた開口を介して入れられた単一のリンチピンにより接続されて一緒に取付けられた２枚の基板構造に依存するものである。次いで継手はそれぞれの継手基板を介して独立な面（例えばドアまたはドアマウント）に固定され、その二つの独立な面を接続すると共に一方が他方に対して動かせるようにする。
【０００３】
近年、用途の要求に従って継手装置に関連し多くの革新が展開されてきたが、二つの独立な面が継手により接続されかつ単一の屈曲点をもつようにするという継手の能力に関する基本的前提はここ千年変わっていない。従ってヒンジ装置は常に、建物と同程度に大きいものの構造的完全性には実質的利益をもたらす能力がなく、建築の付属的装置であった。伝統的なヒンジ方法は全て、互いに対して二つの面を動かす用途と能力の両方に限定されており、目的に合わなければそれらの周囲環境に大きな損害を生じる。
【発明の開示】
【課題を解決するための手段】
【０００４】
第１の物品が固定されるよう構成される取付け部と、繋留部と、を有する継手アームを備える継手が開示されている。本継手は、第２の物品が固定されるよう構成されるソケット（ｒｅｃｅｐｔａｃｌｅ）をさらに備え、前記ソケットは継手アームの少なくとも繋留部を保持するよう構成される内部空洞を定める一つ以上の壁を備える。ソケットは継手アームが中を通って延びるよう構成される開口をさらに含み、その場合、継手アームの取付け部は開口に対して可動である。
【０００５】
一形態において、継手アームは、互いにヒンジ取付けされた二つ以上の継手セグメントを備える。
【０００６】
一形態において、継手アームの取付け部は開口に対してソケットから離れる方向に可動である。
【０００７】
一形態において、取付け部はフェイスプレートを備える。
【０００８】
取付け部とソケット部は、ソケットが第２の物品に組み込まれる一方で、継手アームの取付け部が第１の物品の大部分にわたり延ばせることによって、高負荷耐久能力と共に固有の強度及び耐衝撃性を備えることが出来る。一実施例において、継手アームは平坦な板状アームであり、接続する二つの物品に対する支持体の役目を果たすことができる。
【０００９】
一形態において、継手アームの大部分がソケット内に保持される閉位置と、継手アームの大部分がソケットの開口を越えて延びる開位置との間で可動である。
【００１０】
一形態において、継手アームが閉位置にあるとき、内部空洞は継手アームの大部分を一直線に揃った形状にも、折り畳まれた形状にも保持できるように構成される。
【００１１】
一形態において、継手セグメントは一つ以上のリンチピンにより取付けられる。
【００１２】
一形態において、継手ソケットは第２の物品内にほぼ組み込まれるよう構成される。
【００１３】
一形態において、継手アームには第１の物品がヒンジ取付けされる。
【００１４】
一形態において、繋留部はソケット内に固定されるように構成される。
【００１５】
他の一形態において、繋留部はソケット内に移動自在に保持されるように構成される。
【００１６】
一形態において、継手セグメントは略平坦なパネルを含む。
【発明を実施するための最良の形態】
【００１７】
次に継手の実施形態を、添付図面を参照して例としてのみ述べる。
【００１８】
諸図を参照すると、物品２１に固定された取付け手段１を備えた継手２０が開示される。取付け手段１は弾性もしくは非弾性材料、又は、成形、プレス、打抜き又は押出しされた金属、ラミネートされた金属、又は高張力プラスチックのような材料の組合せからできたプレートである。
【００１９】
継手２０は、繋留点２において取付け手段１に繋留された継手アーム３を含む。継手アーム３は取付け手段１を作るのに使用された材料によって決まる方法により取付け手段１に繋留され、取付け手段の構造の一部を形成する。
【００２０】
継手アーム３は二つの継手セグメント４を備える。継手セグメント４は弾性もしくは非弾性材料、又は成形、プレス、打抜き又は押出しされた金属、ラミネートされた金属、又は高張力プラスチックのような材料の組合せからできている。継手セグメント４は、リンチピンのインサート５又は他のいずれかのヒンジされた接続方法によって互いに接続される。各継手セグメント４は図５及び図７から最もよく分かるように、実質的に平坦な面を備える。平坦な面の各継手セグメント４の全体寸法は、継手の用途によって決まる。
【００２１】
継手アーム３は、リンチピン５により接続された複数の継手セグメント４によって、二以上の方向に動かすことができる。
【００２２】
継手１は継手リテーナ７をさらに備える。継手リテーナ７は内部空洞２３を定める一つ以上の壁２２を備える。継手アーム３は、自由移動繋留機構９によって継手リテーナ７内に繋留される。
【００２３】
図１及び図２に最もよく示されるように、自由移動繋留機構９は閉位置にロックできる。この位置において、継手１は完全に閉じられ、継手リテーナ７の形状によりロックされる。あるいは図３から最もよく分かるように、自由移動繋留機構９は継手リテーナ内で自由に動くことができてもよく、あるいは図４から最もよく分かるように、継手リテーナ壁２２の背面に恒久的に固定されてもよい。継手リテーナ７は弾性もしくは非弾性材料、又は成形、プレス、打抜き又は押出しされた金属、ラミネートされた金属、又は高張力プラスチックのような材料の組合せからできている。継手リテーナ７は、継手セグメント４を継手リテーナ７の内部空洞に出入りさせるようにできている狭い開口８をさらに含む。
【００２４】
図１、図３及び図４に示されるように、取付け手段１と継手リテーナ７が閉位置に引き寄せ集められる際、継手アーム３は継手リテーナ７内に収容される。
【００２５】
継手リテーナ７は、物品２１及び２１Ａが一緒にヒンジで固定されて互いに対して動くことができるように第２の物品２１Ａの中に挿入されるよう構成されている。図６及び図８から最もよく分かるように、継手が完全に閉じられるときに物品２１及び２１Ａが継目なく一緒になるように、継手リテーナ７は第２の物品２１Ａの領域内に配置される。継手リテーナ７は実質的に、第１の物品２１と合致又は継ぎ合わされる第２の物品２１Ａの側面の長さに沿って延びる。
【００２６】
取付け手段１と継手リテーナ７の部品はプリフォーム、成形、又は押出しされた構造に組み込まれてもよく、又は成形又は押出し工程の一部として作られて取付け手段１及び／又は継手リテーナ７を構造１３内の所定位置に据え付けても、自由な形の装置として作られてもよい。
【００２７】
図２に最もよく示されるように、使用時には継手アーム３が狭い開口８を通って延長され、継手セグメント４が繋留機構９に対して動くことができるようになる。その結果、継手アーム３が取付けられた物品２１は、フェイスプレート１によって物品２１Ａに対して動くことができる。
【００２８】
このようにして継手２０は、物品２１と２１Ａが互いに対して動けるようにし、図６及び図８に示されるように、物品２１と２１Ａを互いに平行に継目なく押し付けることができ、また物品２１と２１Ａを動かして垂直関係にすることができる。閉位置において取付け手段１と継手リテーナ７は引き寄せ集められ、継手２０が完全に隠されるようにできる。
【００２９】
継手２０は天然材料で出来ていても、人工材料で出来ていても、両者の組合せで出来ていてもよく、また弾性であっても非弾性であってもよい。器具は建物等に対するパネルシステムに挿入及び固定することができる。
【００３０】
以上の説明及び特許請求の範囲において、特に明示した言葉遣い、あるいは必要な言外の意味により文脈がそうでないことを必要とする場合を除いて、用語「備える」又はその変形は包含的な意味において使用される。すなわち、述べられた特徴の存在を明示するが、種々の実施例においてさらなる特徴の存在又は追加を排除しないように使用される。
【００３１】
以上に述べられかつ特許請求の範囲に定義されたシステムに対し、変更と変形を行ってもよい。
【図面の簡単な説明】
【００３２】
【図１】閉位置にある継手の一つの実施例の継手の断面図を示す。
【図２】開位置にある図１の継手の断面図を示す。
【図３】閉位置にある継手の第２の実施例の継手の断面図を示す。
【図４】閉位置にある継手の第３の実施例の継手の断面図を示す。
【図５】閉位置で使用される図１の継手の正面図を示す。
【図６】完全な閉位置で使用される図１の継手の正面図を示す。
【図７】閉位置で使用される継手の第４の実施例の複数の継手の正面図を示す。
【図８】完全な閉位置で使用される図７の継手の正面図を示す。
【符号の説明】
【００３３】
１  取付け手段
２  繋留点
３  継手アーム
４  継手セグメント
５  リンチピン
７  リテーナ
８  狭い開口
９  繋留機構
１３  構造
２０  継手
２１  第１の物品
２１Ａ  第２の物品
２２  壁
２３  内部空洞
【図１】
2009501852.tif 000003
【図２】
2009501852.tif 000004
【図３】
2009501852.tif 000005
【図４】
2009501852.tif 000006
【図５】
2009501852.tif 000007
【図６】
2009501852.tif 000008
【図７】
2009501852.tif 000009
【図８】
2009501852.tif 000010
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
第１の物品が固定されるよう構成される取付け部と、繋留部と、を有する継手アームと、
前記継手アームの少なくとも前記繋留部を保持するように構成された内部空洞を定める一以上の壁を備え、前記継手アームが中を通って延びるように構成された開口を有する、第２の物品が固定されるよう構成されるソケットと、を備える継手において、
前記継手アームの前記取付け部が前記開口に対して可動であり、前記継手アームが二つ以上の継手セグメントを備え、
前記継手セグメントが互いにヒンジ取付けされ、前記継手アームの大部分が前記ソケット内に保持される閉位置と、前記継手アームの大部分が前記ソケットの前記開口を越えて延びる開位置と、の間で可動である継手。
【請求項２】
前記継手アームが閉位置にあるときに、前記継手セグメントが伸ばされた構造として配置される請求項１に記載の継手。
【請求項３】
前記継手セグメントが、一つ以上のリンチピンにより取付けられる請求項２に記載の継手。
【請求項４】
前記取付け部が、フェイスプレートを備える請求項１〜３のいずれか１項に記載の継手。
【請求項５】
前記継手アームの前記取付け部が、前記開口に対し前記ソケットから離れる方向に可動である請求項１〜４のいずれか１項に記載の継手。
【請求項６】
第１の物品が固定されるよう構成される取付け部と、繋留部と、を有する継手アームと、
前記継手アームの少なくとも前記繋留部を保持するように構成された内部空洞を定める一以上の壁を備え、前記継手アームが中を通って延びるように構成された開口を有する、第２の物品が固定されるよう構成されるソケットと、を備える継手において、
前記継手アームの前記取付け部が前記開口に対して可動であり、前記継手アームが平坦な板状アームである継手。
【請求項７】
前記継手アームが、前記継手アームが閉位置にあるときに伸ばされた構造として配置される前記継手セグメントを備える請求項６に記載の継手。
【請求項８】
前記継手アームが、前記継手アームが閉位置にあるときに積み重ねられた構造として配置される前記継手セグメントを備える請求項６に記載の継手。
【請求項９】
前記継手アームが、前記継手アームが閉位置にあるときに折り畳まれた構造として配置される前記継手セグメントを備える請求項６に記載の継手。
【請求項１０】
前記繋留部が、前記ソケット内に固定されるよう構成される請求項１〜９のいずれか１項に記載の継手。
【請求項１１】
前記繋留部が、前記ソケット内に動けるように保持されるよう構成される請求項１〜９のいずれか１項に記載の継手。
【請求項１２】
前記継手ソケットが、前記第２の物品にほぼ組み込まれるように構成される請求項１〜１１のいずれか１項に記載の継手。
【請求項１３】
前記第１の物品が、前記継手アームにヒンジ取付けされる請求項１〜１２のいずれか１項に記載の継手。
【国際調査報告】
2009501852.tif 000011
2009501852.tif 000012
2009501852.tif 000013